(57)【要約】主要部（２）及びヘッド部（３）を有するパーソナルケア装置（１）において、前記主要部（２）は、１つの手で保持されるように設計され、前記ヘッド部（３）は、前記主要部（２）に対して旋回軸（２６）の周りで旋回可能であり、前記主要部（２）と前記ヘッド部（３）との間に伸縮ばね（５５）が設けられ、これにより、前記ヘッド部（３）が、前記伸縮ばね（５５）によって、毛切断操作の最中に前記ヘッド部（３）に作用する、変化する移動力と同期して旋回可能になることと、移動力がないときには、前記伸縮ばね（５５）によって、前記主要部（２）に対する規定の静止位置に位置決め可能になることとが可能になる。
2005537844.tif 000002
【特許請求の範囲】
【請求項１】
主要部及びヘッド部を有するパーソナルケア装置であって、前記主要部は、１つの手で保持されるように設計され、且つ、前記ヘッド部に隣接する領域を有し、前記ヘッド部は、前記主要部の、前記ヘッド部に隣接する前記領域において前記主要部に接続され、且つ、前記主要部に対して旋回軸の周りを旋回可能であり、前記ヘッド部にパーソナルケアツールが設けられ、前記主要部と前記ヘッド部との間で動作するローディング手段が設けられ、前記ヘッド部は、前記ローディング手段によって、パーソナルケアプロセスの間に前記ヘッド部に作用する変化する移動力と同期して旋回可能であり、前記ヘッド部は、移動力がない場合には、前記ローディング手段によって、前記主要部に対する規定の静止位置に位置決めされることができる、装置。
【請求項２】
請求項１に記載のパーソナルケア装置において、前記ローディング手段はばね手段によって形成される、装置。
【請求項３】
請求項２に記載のパーソナルケア装置において、前記ローディング手段は、Ｕ字型の構成のばねによって形成され、当該ばねは、当該ばねのクロスメンバの領域において前記主要部に接続され、当該ばねの２つの側部のそれぞれの領域において、前記主要部に接続された少なくとも１つの位置決め延長部と協働する、装置。
【請求項４】
請求項１に記載のパーソナルケア装置において、前記パーソナルケア装置は、ヘアトリマーによって形成され、前記パーソナルケアツールは、少なくとも１つの駆動可能な歯付きブレードを有する歯付き切断機構によって形成される、装置。
【請求項５】
請求項４に記載のパーソナルケア装置において、前記駆動可能な歯付きブレードを駆動するためのモータが設けられ、前記モータは前記ヘッド部内に収容される、装置。
【請求項６】
請求項４に記載のパーソナルケア装置において、前記主要部は、１つの手で保持されると、当該手から突出方向に突出し、前記旋回軸は、前記突出方向に実質的に平行に延在する、装置。
【発明の詳細な説明】
【技術分野】
【０００１】
本発明は、主要部及びヘッド部を有するパーソナルケア装置であって、前記主要部は、１つの手で保持されるように設計され、且つ、前記ヘッド部に隣接する領域を有し、前記ヘッド部は、前記主要部の、前記ヘッド部に隣接する前記領域において前記主要部に接続され、且つ、前記主要部に対して旋回軸の周りを旋回可能であり、前記ヘッド部にパーソナルケアツールが設けられる、パーソナルケア装置に関する。
【背景技術】
【０００２】
この種類のパーソナルケア装置は、米国特許第５，９７０，６１６Ａ号から知られている。この既知のパーソナルケア装置は、ヘアトリマーである。この既知のヘアトリマーにおいて、ヘッド部は、パーソナルケアツールとして歯付きの切断機構を有し、２つの動作位置間で旋回されることができ、この場合、前記ヘッド部は、一方の動作位置から他方の動作位置に旋回するためには１８０°旋回されなければならない。ヘッド部は、その２つの動作位置のそれぞれにおいて、固定装置によって、動かないよう所与の動作位置に固定される。これは、ヘッド部の２つの動作位置のいずれにおいても、ヘッド部と主要部との間の相対的な運動が可能でないことを意味する。既知のヘアトリマーにおいて、これは、以下のような問題を生じさせる。即ち、ヘッド部の２つの動作位置のそれぞれで、ケアがされるべき体の領域、換言すれば、毛が切られるべき体の領域に対する（即ち例えばケアがされるべき人間の頭の領域に対する）、ヘッド部に設けられた歯付き切断機構の位置と、やはりヘッド部に設けられたコーム装置の位置とは、その人間が、主要部を、従って更に、主要部に対して固定されたヘッド部を、いかに手に持つかに依存する、という問題である。従って、既知のヘアトリマーにおいては、以下のような危険性がある。即ち、歯付き切断機構及びコーム装置は、ケアがされるべき体の部分に対して不満足な位置で保持される可能性があり、この結果、毛がトリミングされるときに、毛が大幅に異なった長さに切られ得る、という危険性であり、これは、不所望且つ不利である。
【発明の開示】
【発明が解決しようとする課題】
【０００３】
従って、本発明の目的は、上記で概説された問題を解決し、より良いパーソナルケア装置を作ることである。
【課題を解決するための手段】
【０００４】
上記の目的が達成されるのを可能にするために、本発明によるパーソナルケア装置に、本発明による特徴が設けられ、これにより、本発明によるパーソナルケア装置は、以下に詳述される態様で特徴付けられることができる。
【０００５】
即ち、主要部及びヘッド部を有するパーソナルケア装置であって、前記主要部は、１つの手で保持されるように設計され、且つ、前記ヘッド部に隣接する領域を有し、前記ヘッド部は、前記主要部の、前記ヘッド部に隣接する前記領域において前記主要部に接続され、且つ、前記主要部に対して旋回軸の周りを旋回可能であり、前記ヘッド部にパーソナルケアツールが設けられ、前記主要部と前記ヘッド部との間で動作するローディング手段が設けられ、前記ヘッド部は、前記ローディング手段によって、パーソナルケアプロセスの間に前記ヘッド部に作用する変化する移動力（移動させる力、displacing force）と同期して旋回可能であり、前記ヘッド部は、移動力がない場合には、前記ローディング手段によって、前記主要部に対する規定の静止位置に位置決めされることができる、装置、である。
【０００６】
本発明による特徴の供給により、単純且つ場所を節約する態様で、更に、ほとんどコスト及び複雑化を伴わず、以下のことが達成される。即ち、本発明によるパーソナルケア装置によって実行されるパーソナルケアプロセスにおいて、該パーソナルケア装置のパーソナルケアツールは、人体のケアがされている領域に対する自身の位置を自動的に調整し、従って、その相対位置を常に変更することによって体の該領域の輪郭に適応することが可能であり、この結果、与えられるパーソナルケアに関して良い結果が常に得られる。本発明によるパーソナルケア装置の、他の、そして特に重要な利点は、前記ヘッド部が、従って更に、前記ヘッド部に設けられる前記パーソナルケアツールが、使用中に、移動力と同期して移動可能であっても、これらヘッド部及びパーソナルケアツールは、規定の静止位置に自動的に戻り、使用中でないときには該使用位置に保持される、ということである。これによる利点は、パーソナルケアプロセスが開始するたびに、ヘッド部が、人間の習慣どおりの主要部に対する規定の静止位置（即ち開始位置）にある、ということである。このことは、習慣どおりの、従って単純で便利な動作に関して利点である。なぜなら、本発明によるパーソナルケア装置を使用している人は、本装置を使用するときに同じ開始位置から常に開始することができるからである。
【０００７】
本発明によるパーソナルケア装置において、ローディング手段は、磁気的に活性なローディング手段によって形成されてもよい。しかし、ローディング手段がばね手段によって形成されることは、高度に有利であると判明した。このようにして、単純で安価な解法が達成されることができる。
【０００８】
前段落において説明された本発明によるパーソナルケア装置において、ばね手段は、例えばねじりばね又はコイルばねによって形成されてもよい。しかし、ローディング手段が、Ｕ字型の構成のばねによって形成され、当該ばねは、当該ばねのクロスメンバの領域において前記主要部に接続され、当該ばねの２つの側部のそれぞれの領域において、前記主要部に接続された少なくとも１つの位置決め延長部と協働する、と特に有利であると判明した。これは、特に単純で信頼性があり、エージングに対して耐性のある解法を提供する。
【０００９】
本発明によるパーソナルケア装置は、カミソリ、孔清掃装置、顔ブラシ又は脱毛装置であってよい。パーソナルケア装置がヘアトリマーによって形成され、パーソナルケアツールが、少なくとも１つの駆動可能な歯付きブレードを有する歯付き切断機構によって形成されると特に有利であると判明した。このようにして達成されることは、毛の切断動作が、特に正確な方法で実行されることができ、これにより、高度に満足な結果のカットを与えることができるということである。
【００１０】
前の段落においてて説明されたパーソナルケア装置において、駆動可能な歯付きブレードを駆動するためのモータが設けられ、モータがヘッド部に収容されると、特に有利であると判明した。このようにして達成されることは、ヘッド部が旋回可能な態様で主要部に接続されているもかかわらず、これを、モータと駆動可能な歯付きブレードとの間の非常に単純な駆動手段で処理することが可能であるということである。
【００１１】
ヘアトリマーによって形成されるパーソナルケア装置において、主要部は、１つの手で保持されると、前記手から突出方向に突出し、旋回軸が前記突出方向に実質的に平行に延在すると、特に有利であると判明した。これは、人間工学的に有利な構成を与える。その上、この種類の構成は、簡単な操作及び良い結果のヘアカットに関しても有利である。
【発明を実施するための最良の形態】
【００１２】
本発明のこれらの及び他の側面は、以下で説明される実施例を参照して説明され明らかにされる。
【００１３】
図１〜３は、ヘアトリマー１であるパーソナルケア装置１を示す。ヘアトリマー１は、主要部２及びヘッド部３を有する。主要部２とヘッド部３との境界は、図１において破線４によって図式的に示される。
【００１４】
主要部２は、手（図示せず）で保持されるように設計されている。手で保持されると、ヘッド部３に隣接する主要部２の領域５は、手から、矢印によって示される突出方向６に突出する。主要部２は、ハウジング７を有する。本質的には、ハウジング７は、ハウジング上部８と、ハウジング下部９と、該ハウジング下部９に接続されたカバー部材１０とを有する。ハウジング７には、モータに電源を供給するための電源ユニット１１が収容される。電源ユニット１１は、この場合再充電可能である電池１３が固定的に保持される電池ホルダ１２を有する。電池ホルダ１２には、プリント回路基板１４が接続され、この基板１４には、ヘアトリマー１をスイッチオンオフするためのスイッチ１５が取り付けられている。ハウジング上部８において移動可能に導かれるスライダ１６が、このスイッチ１５と協働する。スライドボタン１７がスライダ１６に接続される。スライドボタン１７は、ハウジング上部８の外からアクセスが可能であり、また、２つの動作位置間で自身の長手方向に移動可能であり、これによりヘアトリマー１をスイッチオンオフすることを可能にする。また、ＬＥＤ  １８が電源ユニット１１に設けられる。ＬＥＤ  １８によって、ヘアトリマー１の充電式電池１３に実行されている充電操作が、ハウジング上部８の開口１９を通じて視覚的に示されることが可能である。
【００１５】
調整リング２０がハウジング７に取り付けられる。調整リング２０は、ハウジング７に対して回転可能である。調整リング２０は、ヘッド部３に属するコーム装置２１を調節することを意図され、これは以下で更に詳細に検討される。これに関連して、ヨーロッパ特許第０３２５３２６Ｂ１号を参照してもよく、その開示は本願に参照により組み込まれる。コームホルダ２２は、調整リング２０と協働する。コームホルダ２２は、ハウジング下部９内で、両矢印２３によって示される方向と平行に移動可能に導かれる。調整リング２０とコームホルダ２２との間には、図１には示されない溝付き噛合い機構が設けられ、この機構は、調整リング２０に設けられたらせん状に延在する２つの溝と、コームホルダ２２から突出して調整リング２０の前記溝のそれぞれの中に突出する２つのスライドする噛合いピンとを有する。コームホルダ２２は、調整リング２０とは反対側のその自由端に２つの延長部２４を有し、これら延長部のそれぞれから突起２５が横向きに突出する。図１には、延長部２４及びその突起２５が１つしか示されない。コーム装置２１に対する機械的接続は突起２５によって得られ、これも以下で更に詳細に検討される。
【００１６】
ヘッド部３は、主要部２の当該ヘッド部３に隣接する領域５において、主要部２に接続される。ヘッド部３は、この場合、主要部２に対して旋回軸２６の周りで旋回可能である。旋回軸２６は、図１〜３のそれぞれにおいて、破線によって示される。この場合は、旋回軸２６は突出方向６と厳密に平行に延在し、ヘアトリマー１の主要な長手方向と厳密に平行に延在している。これは、必ずしもそうである必要はない。なぜなら、突出方向６及び旋回軸２６の方向は、必ずしも互いに平行に延在する必要があるわけではなく、互いに傾いて延在してもよいからである。その場合には、傾斜角は例えば５°又は１０°であってもよい。
【００１７】
ヘッド部３は、モータマウント２７を含み、これは、図２から明らかに分かるように、モータマウント上部２８及びモータマウント下部２９を有する。モータマウント２７には、２つの接続ワイヤＬ１及びＬ２を介して電源ユニット１１に導電性接続を有するモータ３０が収容される。モータ３０の軸（図１〜３では示さず）には、偏心装置３１（図１を参照）が回転の際に固定されるように接続され、これは偏心ピン３２を有し、これにより、ヘアトリマー１の歯付き切断機構に属する駆動可能ブレードは、往復運動するように、駆動可能である。この構成は昔から知られている。
【００１８】
モータマウント下部２９は、その外側規定面に第１の支持リッジ３３及び第２の支持リッジ３４を有する。２つの支持リッジ３３及び３４は、弾性的に、即ちこの場合弾力的に曲がるように設計され、これは、モータマウント下部２９に適切な材料を選択することにより達成される。モータマウント上部２８は、第３の支持リッジ３５及び第４の支持リッジ３６を有する。２つの支持リッジ３５及び３６は、硬く設計され、これは、モータマウント上部２８に適切な材料を選択することによって達成される。
【００１９】
４つ全ての支持リッジ３３、３４、３５及び３６は、旋回軸２６と同じ方向に延在する。４つの支持リッジ３３、３４、３５及び３６は、第１の支持リング３７と協働し、この協働は、モータマウント上部２８及びモータマウント下部２９、従ってモータマウント全体２７が、第１の支持リング３７に対して回転可能であるように行われる。第１の支持リング３７は、ハウジング上部８及びハウジング下部９において、いかなる回転又は旋回運動もできないように、動かないように保持される。モータマウント２７は、第２の支持リング３８にも接続されている。第２の支持リング３８は、図１〜３では示されない２つのハーフベアリングシェルの中に回転可能に保持され、一方のハーフベアリングシェルはハウジング上部８内に設けられ、他方のハーフベアリングシェルはハウジング下部９内に設けられる。モータマウント２７は、モータマウント下部２９及びモータマウント上部２８上の４つの支持リッジ３３、３４、３５及び３６並びに第１の支持リング３７によって、そして、第２の支持リング３８及び当該第２の支持リング３８と協働するハーフベアリングシェルによって、主要部２に対して回転可能であるように取り付けられ、これにより、モータマウント２７が主要部２に対して、旋回軸２６の周りで回転可能であり、従って前後に回転可能であることを可能にする。
【００２０】
エンドハウジング３９がモータマウント２７に取り付けられる。エンドハウジング３９は、第１のハウジング部分４０及び第２のハウジング部分４１を有し、これらは接続される。第１のハウジング部分４０は、２つのガイドストリップ４２を有する。これらの２つのガイドストリップ４２のうちの１つのみが、図１中に示される。２つのガイドストリップ４２は、第１のハウジング部分４０から突出して、コーム装置２１を導くために用いられる。このプロセスは以下で更に詳細に検討される。エンドハウジング３９は、同等に、ハウジング部分を１つだけ有してもよい。
【００２１】
ツールホルダ４３が、モータマウント２７に取り付けられたエンドハウジング３９に取り付けられ、ツールホルダ４３の２つの孔４４及び４５のそれぞれを貫通する２つのネジ（図示せず）によってモータマウント２７に固締され、前記ツールホルダ４３は、エンドハウジング３９の部分の位置に固定される。ツールホルダ４３は、ヘアトリマーに属するツールを保持するために用いられるが、これは以下で更に詳細に検討される。
【００２２】
ヘアトリマー１は、切断ユニット４６を有する。切断ユニット４６には、歯付き切断機構４７が取り付けられ、この切断機構は、この場合にはパーソナルケアツールとして働き、静止歯付きブレードとモータ３０によって駆動可能な歯付きブレードとを有する。前記歯付き切断機構４７により、切られるべき毛はトリミングされることができる、即ち短くされることができる。切断ユニット４６は、エンドハウジング３９に旋回可能に接続されることができる取付けアーム４８を有する。取付けアーム４８がエンドハウジング３９に旋回可能に接続されると、切断ユニット４６は、エンドハウジング３９に向かう方向に旋回され、次に切断ユニット４６は、ラッチフック４９及び５０によってツールホルダ４３と接続するようラッチ係合され、これにより、ツールホルダ４３は、切断ユニット４６を保持するという自身の機能を実行することが可能になる。
【００２３】
ヘアトリマー１は、更に、前述したコーム装置２１も有する。この場合に関連して、コーム装置２１に関して言及されることは、コーム装置２１は、２つの接続アーム５１及び５２を有し、これら接続アーム５１及び５２には、それぞれのガイド溝５３及び５４が設けられる、ということだけである。第１のハウジング部分４０上のガイドストリップ４２は、２本のガイド溝５３及び５４の各々の中に突出する。コーム装置は、ガイドストリップ４２並びにガイド溝５３及び５４によって、旋回軸２６によって示される方向と平行に往復して調整可能になるように導かれる。
【００２４】
ヘアトリマー１内で、エンドハウジング３９、ツールホルダ４３及び切断ユニット４６が、回転可能に取り付けられたモータマウント２７に固定的に接続されているという事実により、エンドハウジング３９、ツールホルダ４３及び切断ユニット４６が同様に、旋回軸２６について旋回可能であるように取り付けられることが可能になる。このため、ヘアトリマー１において、コーム装置２１が、両矢印２３によって示される方向（即ち旋回軸２６と平行）にのみ調整可能であるコームホルダ２２に接続されていても、当該コーム装置２１も旋回軸２６について旋回されることができることが保証されることが必要である。コーム装置２１がこのように旋回することを可能にするため、コームホルダ２２上の突起２５は、旋回軸２６に垂直に延在する２本の溝と協働する。これらの溝は図１〜３には示されてはいないがコーム装置２１に設けられており、これらの溝の構成及び経路の結果、これらの溝は、旋回軸２６に垂直に延在し、コーム装置が旋回軸２６について旋回することを可能にする。
【００２５】
ヘアトリマー１において、有利には、主要部２とヘッド部３との間で動作するローディング手段５５が設けられる。ローディング手段５５は、ヘッド部３に負荷が常に加えられていることを保証する。ローディング手段５５によって、ヘッド部３が、パーソナルケアプロセスの間に、即ち髪を切る動作中に、該ヘッド部３に作用する可変な移動力に同期して旋回可能になることと、移動力がないときには、ローディング手段５５によって、主要部２に対して規定された静止位置に位置決め可能であることとを可能にする。
【００２６】
ヘアトリマー１において、ローディング手段５５は、ばね手段によって形成される。ローディング手段５５（即ちばね手段）は、図３から明らかに見ることができるように、Ｕ字型の構成のばね５５によって形成される。ばね５５は、そのクロスメンバ５６の領域において、ヘッド部３に接続される、即ち、ヘッド部３のモータマウント２７に接続される。ばね５５は、その２つの側５７及び５８のそれぞれの領域において、主要部２に接続された位置決め延長部５９と協働する。この場合、位置決め延長部５９は、ハウジング上部８からハウジングの内部に突出する、図３に示される位置決めラグ５９によって形成される。
【００２７】
このヘアトリマー１において有利に達成されることは、以下のことである。即ち、ヘアトリマー１の操作中に、コーム装置２１及び切断ユニット４６の歯付き切断機構４７は、常に、髪を切る動作中にコーム装置２１に働く、従って歯付き切断機構４７及びヘッド部全体３に働く、移動力に同期して旋回することができ、従って、ケアがされるべき人体の領域に対して常に最適な位置を取ることができる、ということである。この場合、コーム装置２１及び歯付き切断機構４７が旋回軸２６について自由に移動可能であるにも関わらず、ヘアトリマー１が使用されていないとき、コーム装置２１及び歯付き切断機構４７は、主要部２に対して常に規定の静止位置、即ち開始位置を取ることが保証される。これは、ヘアトリマー１の習慣通りの、従って、単純で便利な操作に関して、利点である。なぜなら、ヘアトリマー１を使用している人は、トリマー１を使用するときに常に同じ開始位置から開始することができるからである。
【００２８】
上記した、ヘアトリマー１によって形成されるパーソナルケア装置１において、装置の主要な長手方向及び旋回軸２６は、互いに厳密に平行に延在する。これは、必ずしもそうである必要はなく、本発明によるパーソナルケア装置においては、パーソナルケア装置の主要な長手方向（従って主要部の主要な長手方向）と、ヘッド部が旋回可能である旋回軸の方向とは、互いに垂直に延在してもよく、又は、互いに０°〜９０°の角度さえも取ってもよいことに注意されたい。
【図面の簡単な説明】
【００２９】
【図１】本発明の１つの実施例によるパーソナルケア装置を示す分解立体図である。
【図２】図１に示されるパーソナルケア装置の断面である。
【図３】図１及び２に示されるパーソナルケア装置の一部を示す平面図である。
【図１】
2005537844.tif 000003
【図２】
2005537844.tif 000004
【図３】
2005537844.tif 000005
【国際調査報告】
2005537844.tif 000006
2005537844.tif 000007
2005537844.tif 000008